(57)【特許請求の範囲】
【請求項１】
第１表示器と、
識別情報に対応付けて商品情報を記憶する記憶部と、
識別情報を入力する識別情報入力手段と、
この識別情報入力手段により識別情報が入力されたとき、操作ボタンと前記記憶部に記憶された商品情報のなかから商品選択を行うかを問うメッセージとを前記第１表示器に表示させる第１表示制御手段と、
この第１表示制御手段により表示された前記操作ボタンが操作されたとき、前記識別情報入力手段により入力された識別情報に対応付けて前記記憶部に記憶された商品情報に対応する商品キーを前記第１表示器に表示させる第２表示制御手段と、
この第２表示制御手段により表示された商品キーが操作されたとき、当該操作された商品キーに対応する商品情報を入力する第１入力手段と、
この第１入力手段によって入力された商品情報に基づき会計処理を行う会計処理手段と、
を具備してなることを特徴とする商品販売データ処理装置。
【請求項２】
所定商品の商品情報を入力するための商品キーを表示する第２表示器と、
この第２表示器に表示された商品キーが操作されたときに当該操作された商品キーに対応する商品情報を入力する第２入力手段と、
この第２入力手段により商品情報が入力されたとき、当該商品情報が前記識別情報入力手段により入力された識別情報に対応付けて前記記憶部に記憶されていないならば、当該商品情報を当該識別情報に対応付けて前記記憶部に記憶する記憶制御手段とをさらに具備し、
前記会計処理手段は、前記第１入力手段によって入力された商品情報および前記第２入力手段によって入力された商品情報に基づき会計処理を行うことを特徴とする請求項１に記載の商品販売データ処理装置。
【請求項３】
前記記憶部に記憶された商品情報には、その商品の購入回数を示すカウント数が付され、
前記第２入力手段により商品情報が入力されたとき、当該商品情報が前記識別情報入力手段により入力された識別情報に対応付けて前記記憶部に記憶されているならば、その商品情報に付された前記カウント数をインクリメントする第１カウント手段と、
前記第１入力手段により商品情報が入力されたとき、前記識別情報入力手段によって入力された識別情報に対応付けて前記記憶部に記憶された当該商品情報に付された前記カウント数をインクリメントする第２カウント手段とをさらに具備してなることを特徴とする請求項２に記載の商品販売データ処理装置。
【請求項４】
前記記憶制御手段は、前記第２入力手段により入力された商品情報を前記識別情報入力手段により入力された識別情報に対応付けて前記記憶部に記憶する際に、当該識別情報に対応付けて記憶された商品情報の数が所定数に達しているならば、これら商品情報のうち前記カウント数が最小のものを削除することを特徴とする請求項３に記載の商品販売データ処理装置。
【請求項５】
データコードから商品情報を読み取るスキャナをさらに備え、
前記会計処理手段は、前記第１入力手段によって入力された商品情報、前記第２入力手段によって入力された商品情報、および前記スキャナによって入力された商品情報に基づき会計処理を行うことを特徴とする請求項２乃至４のうちいずれか１に記載の商品販売データ処理装置。
【請求項６】
識別情報入力手段により識別情報を入力する識別情報入力ステップと、
この識別情報入力ステップにて識別情報が入力されたとき、操作ボタンと、識別情報に対応付けて商品情報を記憶する記憶部に記憶された商品情報のなかから商品選択を行うかを問うメッセージとを表示器に表示させる第１表示ステップと、
この第１表示ステップにて表示された前記操作ボタンが操作されたとき、前記識別情報入力ステップにて入力された識別情報に対応付けて前記記憶部に記憶された商品情報に対応する商品キーを前記表示器に表示させる第２表示ステップと、
この第２表示ステップにて表示された商品キーが操作されたとき、当該操作された商品キーに対応する商品情報を入力する商品情報入力ステップと、
この商品情報入力ステップにて入力された商品情報に基づき会計処理を行う会計処理ステップと、
を具備してなることを特徴とする商品販売方法。
【発明の詳細な説明】
【技術分野】
【０００１】
本発明は、入力された商品データを処理する商品販売データ処理装置および商品販売方法に関する。
【背景技術】
【０００２】
従来から、商品の販売を行う店舗において客の購入する商品の会計処理には、入力された商品コードに基づいて商品データを取得して処理するＰＯＳ（Point Of Sales）端末などの商品販売データ処理装置が用いられている。一般的に、スーパーなどの小売店における商品販売データ処理装置への商品コードの入力は、キャッシャが、当該装置に設置されたバーコードスキャナを用いて商品に付されたバーコードを読取るか、キーボードから入力することで行われている。
【０００３】
また、タッチパネル式のキャッシャ用表示器に表示される検索画面をタッチ操作して商品コードを入力することができる商品販売データ処理装置がある。（例えば、特許文献１を参照）
検索画面をタッチ操作して商品コードを入力できる商品販売データ処理装置は、例えばバーコードが付されていない商品を扱う店舗、嗜好品を販売する店舗、又はサービスの提供を行う店舗においてよく利用され、客は、所望の商品又はサービスを口頭で説明するか、陳列された商品やメニューの中から指示することでキャッシャに伝えている。
【先行技術文献】
【特許文献】
【０００４】
【特許文献１】特許第２９１５７４５号公報
【発明の概要】
【発明が解決しようとする課題】
【０００５】
上記のように検索画面から商品コードを入力する場合において、客が所望する商品がキャッシャに正確に伝わらなかった場合や、キャッシャが検索画面から商品を誤って選択した場合には、その商品コードのキャンセルと、客が所望する商品の商品コードの再入力が必要となり、会計効率の低下を招いていた。また、客は、過去に購入した商品又はサービスであって、気に入ったものを再度購入したいが、名称が思い出せない場合には、その商品又はサービスの選択に時間がかかったり、再度購入したい商品が購入できなくなってしまうことがあった。このような場合には、会計処理が円滑に進行しないために顧客満足度が低下してしまう蓋然性がある。
【０００６】
本発明は、上記のような事情に基づいてなされたものであり、その目的は、キャッシャによる商品の誤登録を防止し、会計処理を円滑に進行せしめて会計効率および顧客満足度を向上させることができる商品販売データ処理装置および商品販売方法を提供することである。
【課題を解決するための手段】
【０００７】
本発明にかかる商品販売データ処理装置は、第１表示器と、識別情報に対応付けて商品情報を記憶する記憶部と、顧客に割当てられた識別情報を入力する識別情報入力手段と、この識別情報入力手段により識別情報が入力されたとき、操作ボタンと前記記憶部に記憶された商品情報のなかから商品選択を行うかを問うメッセージとを前記第１表示器に表示させる第１表示制御手段と、この第１表示制御手段により表示された前記操作ボタンが操作されたとき、前記識別情報入力手段により入力された識別情報に対応付けて前記記憶部に記憶された商品情報に対応する商品キーを前記第１表示器に表示させる第２表示制御手段と、この第２表示制御手段により表示された商品キーが操作されたとき、当該操作された商品キーに対応する商品情報を入力する第１入力手段と、この第１入力手段によって入力された商品情報に基づき会計処理を行う会計処理手段と、を具備してなることを特徴としている。
【発明の効果】
【０００８】
かかる手段を講じた本発明によれば、キャッシャによる商品の誤登録を防止し、会計処理を円滑に進行せしめて会計効率および顧客満足度を向上させることができる商品販売データ処理装置および商品販売方法を提供することができる。
【図面の簡単な説明】
【０００９】
【図１】本実施の形態におけるＰＯＳ端末の要部構成を示すブロック図。
【図２】同実施の形態における顧客ファイルのデータ構造の一例を示す図。
【図３】同実施の形態における商品登録ファイルのデータ構造の一例を示す図。
【図４】同実施の形態においてＣＰＵが商品販売処理で実行する処理の流れ図。
【図５】同実施の形態において客面表示器に表示された商品表示釦の一例を示す図。
【図６】同実施の形態において客面表示器に表示された商品データの一例を示す図。
【図７】同実施の形態においてＣＰＵが商品キー入力処理で実行する処理の流れ図。
【発明を実施するための形態】
【００１０】
以下、本発明を実施するための最良の形態について図面を参照して説明する。図１は、本実施の形態における商品販売データ処理装置であるＰＯＳ端末１０の要部構成を示すブロック図である。ＰＯＳ端末１０は、制御部本体としてＣＰＵ（Central Processing Unit）１１を搭載している。また、プログラム等の固定的データが格納されたＲＯＭ（Read Only Memory）１２、各種データを書換え可能に記憶するための種々のメモリエリアが形成されるＲＡＭ（Random Access Memory）１３、通信回線を介して外部とのデータ通信を制御する通信インターフェイス（Ｉ／Ｆ）１４、ハードディスクドライブ（ＨＤＤ）１６を駆動制御するハードディスクドライブコントローラ１５、キャッシャ用表示器１７の画面表示を制御する表示コントローラ１８、客面表示器１９の画面表示を制御する表示コントローラ２０、ドロワ２１に対して開放指令信号を出力するＩ／Ｏポート２２、キーボード２３から操作キーに対応したキー信号を取込むキーボードコントローラ２４、レシート・ジャーナル（ＲＪ）プリンタ２５を制御するプリンタコントローラ２６、バーコードから商品コードを光学的に読取るスキャナ２７を制御するスキャナコントローラ２８、ポイントカードやクレジットカードなどの読取りに供されるカードリーダ２９からの入力を取込むカードリーダコントローラ３０を備えている。そしてＣＰＵ１１と、ＲＯＭ１２，ＲＡＭ１３，通信インターフェイス１４，ハードディスクドライブコントローラ１５，表示コントローラ１８，表示コントローラ２０，Ｉ／Ｏポート２２，キーボードコントローラ２４，プリンタコントローラ２６，スキャナコントローラ２８、およびカードリーダコントローラ３０とをアドレスバス，データバス等のバスライン３１で接続して構成されている。
【００１１】
キャッシャ用表示器１７および客面表示器１９は、表示画面上にタッチパネルを設けてタッチ操作による入力を可能としたタッチパネル式ディスプレイである。キャッシャ用表示器１７は、ＰＯＳ端末１０を操作するキャッシャ側に向けられ、タッチ操作により所定の商品の商品コードが入力可能な商品キーや、会計処理内容等を表示する（キャッシャ用商品表示手段）。客面表示器１９は、ＰＯＳ端末１０により会計処理を受ける顧客側に向けられ、図６の説明にて後述する各種商品キーや、会計処理内容等を表示する。
【００１２】
ＰＯＳ端末１０は、通信インターフェイス１４を介してホストコンピュータに接続されており、ホストコンピュータの記憶部には、各商品の商品コードに対して商品名，単価，および商品画像などからなる商品データが記憶された商品マスタファイルが記憶されている。ＰＯＳ端末１０を用いて商品の販売処理を行うときには、キャッシャ用表示器１７やスキャナ２７から入力された商品コードに対応する商品データが、通信インターフェイス１４を介してホストコンピュータに記憶された商品マスタから取得される。
【００１３】
キーボード２３には、数値を入力するための置数キーの他、乗算キー，小計キー，現計キー等の各種ファンクションキーが配設されている。レシート・ジャーナルプリンタ２５は、印字媒体であるレシート用紙への会計情報等の印字を行い、レシートを発行する。ハードディスクドライブ１６には、特定の顧客が、過去にキャッシャ用表示器１７の商品キーがタッチ操作されることにより購入した商品の商品コードが記憶された顧客ファイル４０（顧客履歴記憶部）が記憶されている。この顧客ファイル４０は、一人一人の顧客に割当てられた識別情報である顧客コードごとに作成されて管理されている。この顧客コードは、顧客が所持するポイントカードに記憶されており、カードリーダ２９を用いて読取ることで取得される（識別情報入力手段）。
【００１４】
図２は、顧客ファイル４０のデータ構造の一例を示す模式図である。顧客ファイル４０には、上記顧客コードに対して顧客名、その顧客が過去に１度でも購入した商品の商品コード、および過去に顧客がその商品を購入した回数を示すカウント数が記憶されている。各商品コードには、そのカウント数の降順に商品コードを整列して、１からの連番のナンバ（図中では“Ｎｏ．”）が付されている。顧客ファイル４０に記憶できる商品コードの数には最大数ｎが設定されており、その最大数ｎを超えない範囲で商品コードが記憶される。
【００１５】
商品販売処理時において上記商品マスタファイルから取得された商品データは、キーボード２３に設けられた締めキーの押下が検知されるまで、商品コードと共にＲＡＭ１３に形成された商品登録ファイル４１へ累積的に記憶される。
【００１６】
図３は、商品登録ファイル４１のデータ構造の一例を示す模式図である。上記の通り、商品コードに対して、商品名および単価が記憶され、さらに、商品コードにかかる商品の売上点数および売上金額が記憶される。上記締めキーが押下されたときには、当該ファイル４１に記憶された各データに基づき商取引の会計処理がなされる。
【００１７】
次に、図４を用いてＣＰＵ１１が商品販売処理時に実行する処理の流れを説明する。商品販売処理が開始されると、まず、ＣＰＵ１１は、ＳＴ１０１としてＲＡＭ１３にフラグＡおよびフラグＢを形成してそれらを初期化（Ａ，Ｂ＝０）し、ＳＴ１０２として上記顧客コードの入力がなされたか否かを判断する。入力がなされているとき（ＳＴ１０２のＹｅｓ）、ＣＰＵ１１は、ＳＴ１０３として顧客ファイル４０に記憶された商品コードに基づく商品データの表示を宣言するための商品表示釦５５を客面表示器１９に表示し（履歴表示宣言手段）、ＳＴ１０４としてフラグＡを“１”にセットする。ＳＴ１０４の処理の後若しくはＳＴ１０２の処理にて顧客コードの入力がなされないとき（ＳＴ１０２のＮｏ）には、ＣＰＵ１１は、ＳＴ１０５として客面表示器１９に表示した商品表示釦５５がタッチ操作されたか否かを判断する。
【００１８】
図５は、客面表示器１９に表示された商品表示釦５５の一例である。図５の表示画面５４には、“商品の購入履歴表示”と表示された商品表示釦５５と共に、顧客に当該釦５５の作用を知らせるメッセージが表示してある。その他、表示画面５４には、商品販売処理に関する各種情報、例えばその時点での買上点数や買上商品の代金の合計金額などを表示してもよい。
【００１９】
商品表示釦５５がタッチ操作されていると判断したとき（ＳＴ１０５のＹｅｓ）、ＣＰＵ１１は、ＳＴ１０６として、入力された顧客コードと同一の顧客コードを各顧客ファイル４０の顧客コードの中から検索し（検索手段）、検索の結果特定した顧客コードに対応する顧客ファイル４０に記憶された商品コードに基づく商品データを上記商品マスタファイルから入手して、客面表示器１９に表示する（客用商品表示手段）。
【００２０】
図６は、客面表示器１９に表示された商品データの一例である。図６の表示画面５０は、個々の商品を大別した商品群キー５１、タッチ操作された商品群キー５１に属する個々の商品の商品名，単価，および商品画像が表示された商品キー５２、客が当該画面をタッチ操作して選択した商品の点数および合計金額を表示する合計金額表示領域５３などを有する。
【００２１】
かかる表示画面５０がＳＴ１０６の処理にて客面表示器１９に表示された後若しくはＳＴ１０５の処理にて商品表示釦５５がタッチ操作されていないと判断したとき（ＳＴ１０５のＮｏ）、ＣＰＵ１１は、ＳＴ１０７として商品コードが入力されたか否かの判断を行う。商品コードが入力されていないと判断したとき（ＳＴ１０７のＮｏ）には、再びＳＴ１０５の処理を実行する。一方、商品コードが入力されたと判断したとき（ＳＴ１０７のＹｅｓ）には、ＳＴ１０８としてその入力がスキャナ２７による商品に付されたバーコードの読取り，キャッシャ用表示器１７のタッチ操作，客面表示器１９のタッチ操作の何れによるものであるかを判定する。スキャナ２７でバーコードを読取ることで商品コードが入力されたとき（ＳＴ１０８の“スキャナ入力”）には、ＣＰＵ１１は、ＳＴ１０９として入力された商品コードに対応する商品データのうち商品名および単価を上記商品マスタファイルから取得して、商品登録ファイル４１に商品コード，売上点数，および売上金額と共に記憶する。
【００２２】
また、キャッシャ用表示器１７に表示された商品キーをタッチ操作することで商品コードが入力されたとき（ＳＴ１０８の“キャッシャ用表示器をタッチ操作”）、ＣＰＵ１１は、ＳＴ１１０として後述の図７に記載の商品キー入力処理を実行する。しかる後、ＳＴ１０９の商品登録処理を実行する（表示商品入力手段）。
【００２３】
また、客面表示器１９に顧客が過去に購入した商品の商品キーが表示されている場合に、客が、表示された商品キーをタッチ操作することで商品コードを入力したとき（ＳＴ１０８の“客面表示器をタッチ操作”）、ＣＰＵ１１は、ＳＴ１１１として顧客ファイル４０の商品コードに付されたカウント数をインクリメントし、ＳＴ１１２としてフラグＢを“１”にセットする。しかる後、ＳＴ１０９の商品登録処理を実行する。すなわち、スキャナ２７によるバーコードの読取り、およびキャッシャ用表示器１７に表示された商品キーのタッチ操作による商品コードの入力と、入力された商品コードに対応する商品名および単価を上記商品マスタファイルから取得する制御処理とは、キャッシャ用入力手段を構成する。また、客面表示器１９に表示された商品キーのタッチ操作による商品コードの入力と、入力された商品コードに対応する商品名および単価を上記商品マスタファイルから取得する制御処理とは、客用入力手段を構成する。また、これらキャッシャ用入力手段と客用入力手段とが入力した商品名および単価を商品登録ファイル４１に登録処理する制御処理は、登録処理手段を構成する。
【００２４】
ＳＴ１０９の処理の後、ＣＰＵ１１は、ＳＴ１１３としてキーボード２３の締めキーの押下がなされているか否かを判断し、締めキーの押下がなされていないとき（ＳＴ１１３のＮｏ）には、再び商品コードの入力を待機する。締めキーの押下がなされたとき（ＳＴ１１３のＹｅｓ）、ＣＰＵ１１は、ＳＴ１１４として客からの預り金額の入力受付け，釣銭額の算出，レシート・ジャーナルプリンタ２５からのレシート発行，およびドロワ２１の開放などの会計処理を実行する。
【００２５】
しかる後、ＣＰＵ１１は、ＳＴ１１５としてフラグＢの値が“１”にセットされているか否かを判定し、“１”にセットされているとき（ＳＴ１１５のＹｅｓ）には、ＳＴ１１６として顧客ファイルに記憶された商品コードを、カウント数の降順に整列する。ＳＴ１１６の処理の後若しくはＳＴ１１５の処理にてフラグＢの値が“１”にセットされていないとき（ＳＴ１１５のＮｏ）には、当該商品販売処理を終了する。
【００２６】
次に、図７を用いて商品キー入力処理（ＳＴ１１０）においてＣＰＵ１１が実行する処理の流れを説明する。なお、この商品キー入力処理は、キャッシャ用表示器１７に表示された商品キーがタッチ操作されたときに、その商品コードを過去に購入した商品として顧客ファイル４０へ記憶するための処理である。
【００２７】
先ず、ＣＰＵ１１は、ＳＴ２０１としてフラグＡが“１”にセットされているか否かを判断する。フラグＡが“１”にセットされていないとき（ＳＴ２０１のＮｏ）、すなわち、顧客コードが入力されていないときには、商品コードを登録するための顧客ファイル４０が特定されないため当該商品キー入力処理を終了する。フラグＡが“１”にセットされているとき（ＳＴ２０１のＹｅｓ）、ＣＰＵ１１は、ＳＴ２０２としてＳＴ１０７の処理にて入力を受付けた商品コードが顧客ファイル４０に記憶されているか否かを判断する。入力を受付けた商品コードが顧客ファイル４０に記憶されていないとき（ＳＴ２０２のＮｏ）、ＣＰＵ１１は、ＳＴ２０３として顧客ファイル４０に商品コードを記憶するための空き容量があるか否か、すなわち、記憶された商品コードの数が最大数ｎ未満であるか否かを判断する。そして、記憶された商品コードの数が最大数ｎと等しいとき（ＳＴ２０３のＮｏ）、ＣＰＵ１１は、ＳＴ２０４として顧客ファイル４０の最下欄の商品コードを消去して今回入力を受付けた商品コードを、カウント数を“１”にして記憶する。しかる後、ＣＰＵ１１は、ＳＴ２０５としてフラグＢに“１”をセットして当該商品キー入力処理を終了する。
【００２８】
ＳＴ２０３の処理にて顧客ファイル４０に記憶された商品コードが最大数ｎ未満のとき（ＳＴ２０３のＹｅｓ）、ＣＰＵ１１は、ＳＴ２０６として顧客ファイル４０に記憶された商品コードの最下欄の次欄に今回入力を受付けた商品コードを、カウント数を“１”にして記憶する。しかる後、ＳＴ２０５の処理を実行して当該商品キー入力処理を終了する。
【００２９】
ＳＴ２０２の処理にて、入力された商品コードが既に顧客ファイル４０に記憶されているとき（ＳＴ２０２のＹｅｓ）、ＣＰＵ１１は、ＳＴ２０７として当該商品コードのカウント数をインクリメントする（購入回数カウント手段）。しかる後、ＳＴ２０５の処理を実行して当該商品キー入力処理を終了する。
【００３０】
このように、当該ＰＯＳ端末１０は、顧客を顧客コードで識別し、顧客ファイル４０に記憶した過去に購入された商品の商品キーを客面表示器１９に表示する。そして、顧客は、客面表示器１９に表示された商品キーを自らタッチ操作して所望の商品を購入できる。そのため、キャッシャが商品コードを誤入力する恐れが軽減される。また、顧客は、過去に購入した商品の名称を忘れてしまった場合でも、客面表示器１９に表示された画面から所望の商品を検索して商品を購入できるので商品の選択に時間がかからず、会計処理が円滑に進行される。また、商品を購入できなくなるということもない。これらの作用により、会計効率および顧客満足度を向上させることができる。
【００３１】
なお、この発明は前記実施形態そのままに限定されるものではなく、実施段階ではその要旨を逸脱しない範囲で構成要素を変形して具体化できる。
【００３２】
例えば、識別情報入力手段は、ポイントカードに記憶された顧客コードおよびそれを読取るカードリーダ２９の構成に限定されず、顧客コードに代えてクレジットカード等に記憶されたコードを用いてもよいし、カードリーダ２９を用いずにキーボード２３から直接コードを入力する構成にしてもよい。
【００３３】
また、商品マスタファイルをハードディスクドライブ１６に記憶しておき、そこから商品データを取得するようにしてもよい。
【００３４】
また、顧客ファイル４０に記憶された商品コードにかかる商品の客面表示器１９への表示は、顧客が商品を識別できるように表示されれば、商品名，価格，および商品画像からなるものに限定されない。
【００３５】
また、商品表示釦５５は、顧客コードの入力があった場合にのみ客面表示器１９に表示されるとしたが（ＳＴ１０２，ＳＴ１０３）、顧客コードの入力前でも表示するようにしてもよい。
【００３６】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合せてもよい。
本願の出願当初の特許請求の範囲に記載された発明を、以下に付記する。
［１］  顧客側に設けられた客面表示器と、キャッシャ側に設けられ商品データを入力するキャッシャ用入力手段と、顧客に割当てられた識別情報ごとに顧客が過去に購入した商品を記憶する顧客履歴記憶部と、顧客に割当てられた識別情報を入力する識別情報入力手段と、この識別情報入力手段により入力された識別情報を前記顧客履歴記憶部から検索する検索手段と、前記検索手段により検索された識別情報に対応する商品を前記客面表示器に表示する客用商品表示手段と、この客用商品表示手段により表示された商品の中から商品データを入力する客用入力手段と、この客用入力手段と前記キャッシャ用入力手段とが入力した商品データを登録処理する登録処理手段と、を具備してなることを特徴とする商品販売データ処理装置。
［２］  前記キャッシャ用入力手段は、キャッシャ側に配置されたキャッシャ用表示器に所定の商品を表示するキャッシャ用商品表示手段と、このキャッシャ用商品表示手段により前記キャッシャ用表示器に表示した商品の中から商品データを入力する表示商品入力手段と、を有し、前記顧客履歴記憶部には、前記表示商品入力手段が商品データを入力した商品を前記識別情報入力手段が入力した識別情報に対応付けて記憶することを特徴とする上記［１］に記載の商品販売データ処理装置。
［３］  顧客の商品履歴を表示する旨を宣言する履歴表示宣言手段、をさらに具備し、前記客用商品表示手段は、この履歴表示宣言手段により履歴を表示する旨の宣言があった後に前記客面表示器に前記検索手段により検索された識別情報に対応する商品を表示することを特徴とする上記［１］又は［２］に記載の商品販売データ処理装置。
［４］  前記顧客履歴記憶部に記憶された商品の購入回数をカウントする購入回数カウント手段、をさらに具備し、前記顧客履歴記憶部に新たに商品を記憶する際、既に記憶された商品の種類が所定の数量に達しているときには、前記購入回数カウント手段によりカウントした購入回数が最少の商品を削除して前記新たな商品を記憶することを特徴とする上記［１］乃至［３］のいずれか１に記載の商品販売データ処理装置。
【符号の説明】
【００３７】
１０…ＰＯＳ端末、１１…ＣＰＵ、１２…ＲＯＭ、１３…ＲＡＭ、１４…通信インターフェイス、１６…ハードディスクドライブ、１７…キャッシャ用表示器、１９…客面表示器、２１…ドロワ、２３…キーボード、２７…スキャナ、２９…カードリーダ、４０…顧客ファイル、４１…商品登録ファイル、５０…表示画面、Ａ，Ｂ…フラグ
【図１】
0005393828.tif 000002
【図２】
0005393828.tif 000003
【図３】
0005393828.tif 000004
【図４】
0005393828.tif 000005
【図５】
0005393828.tif 000006
【図６】
0005393828.tif 000007
【図７】
0005393828.tif 000008